【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
画像処理装置であって、
稼働中の動作を止める指示が入力されるのに従って、前記画像処理装置に存在する複数のジョブのリストを表示する表示手段と、
前記表示手段により表示されたリストの中から選択されたジョブの中止または削除をする手段とを有することを特徴とする画像処理装置。
【請求項２】
画像処理装置であって、
稼動中の動作を止める指示が入力されるのに従って、前記画像処理装置に存在するジョブの中止または削除をするための複数のモードのうち、設定されているモードを判定する手段と、
設定されているモードに応じて、ジョブの停止また削除をする制御手段とを有することを特徴とする画像処理装置。
【請求項３】
前記制御手段は、設定されているモードが第１のモードである場合、スキャンジョブを停止することを特徴とする請求項２に記載の画像処理装置。
【請求項４】
ジョブのリストを表示する表示手段を有することを特徴とする請求項２或いは３に記載の画像処理装置。
【請求項５】
前記表示手段は、設定されているモードが第２のモードであり、プリントジョブまたは通信系ジョブがある場合、ジョブのリストを表示し、
前記制御手段は、設定されているモードが第２のモードであり、プリントジョブまたは通信系ジョブがある場合、前記表示手段により表示されたリストの中から選択されたジョブを削除し、設定されているモードが第２のモードであり、プリントジョブまたは通信系ジョブがない場合、スキャンジョブを停止することを特徴とする請求項４に記載の画像処理装置。
【請求項６】
前記表示手段は、設定されているモードが第３のモードであり、前記画像処理装置にジョブが存在する場合、ジョブのリストを表示し、
前記制御手段は、設定されているモードが第３のモードであり、前記画像処理装置にジョブが存在する場合、前記表示手段により表示されたリストの中から選択されたジョブを削除または停止することを特徴とする請求項４或いは５に記載の画像処理装置。
【請求項７】
画像入出力処理を行うために複数のジョブが並列して動作可能な画像入出力装置であって、
存在するジョブの削除要求をするためのジョブ削除要求手段と、
前記ジョブ削除要求手段によりジョブの削除が要求された場合、存在しているジョブを表示するジョブリスト表示手段と、
前記ジョブリスト表示手段により表示されたジョブの中から削除対象のジョブを選択させるジョブ選択手段と、
前記ジョブ選択手段により選択されたジョブを削除する削除手段とを備えることを特徴とする画像入出力装置。
【請求項８】
画像入出力処理を行うために複数のジョブが並列して動作可能な画像入出力装置であって、
存在するジョブの削除要求をするためのジョブ削除要求手段と、
前記ジョブ削除要求手段によりジョブの削除が要求された場合に、現在設定されているジョブ削除モードを判定する判定手段と、
前記判定手段により判定されたジョブ削除モードにしたがって、ジョブを制御するジョブ制御手段とを備えることを特徴とする画像入出力装置。
【請求項９】
前記ジョブ制御手段は、前記ジョブ削除モードが第１のモードである場合には画像読込ジョブを停止することを特徴とする請求項８に記載の画像入出力装置。
【請求項１０】
存在しているジョブを表示するジョブリスト表示手段と、
前記ジョブリスト表示手段により表示されたジョブの中から削除対象のジョブを選択させるジョブ選択手段とをさらに備え、
前記ジョブ制御手段は、前記ジョブ削除モードが第２のモードである場合には、画像読込ジョブ以外のジョブがなければ画像読込ジョブを停止し、印刷ジョブまたは通信ジョブがあれば、前記ジョブリスト表示手段により、存在しているジョブを表示し、前記選択手段により選択されたジョブを削除することを特徴とする請求項８または９に記載の画像入出力装置。
【請求項１１】
存在しているジョブを表示するジョブリスト表示手段と、
前記ジョブリスト表示手段により表示されたジョブの中から削除対象のジョブを選択させるジョブ選択手段とをさらに備え、
前記ジョブ制御手段は、前記ジョブ削除モードが第３のモードである場合には、印刷ジョブまたは通信ジョブがあれば、前記ジョブリスト表示手段により、存在しているジョブを表示し、前記選択手段により選択されたジョブを削除することを特徴とする請求項８乃至１０のいずれか１項に記載の画像入出力装置。
【請求項１２】
稼働中の動作を止める指示が入力されるのに従って、前記画像処理装置に存在する複数のジョブのリストを表示する表示工程と、
前記表示工程により表示されたリストの中から選択されたジョブの中止または削除をする工程とを有することを特徴とする画像処理方法。
【請求項１３】
稼動中の動作を止める指示が入力されるのに従って、前記画像処理装置に存在するジョブの中止または削除をするための複数のモードのうち、設定されているモードを判定する工程と、
設定されているモードに応じて、ジョブの停止また削除をする制御工程とを有することを特徴とする画像処理方法。
【請求項１４】
画像入出力処理を行うために複数のジョブが並列して動作可能な画像入出力装置の制御方法であって、
存在するジョブの削除要求をするためのジョブ削除要求工程と、
前記ジョブ削除要求工程によりジョブの削除が要求された場合、存在しているジョブを表示するジョブリスト表示工程と、
前記ジョブリスト表示工程により表示されたジョブの中から削除対象のジョブを選択させるジョブ選択工程と、
前記ジョブ選択工程により選択されたジョブを削除する削除工程とを備えることを特徴とする画像入出力装置の制御方法。
【請求項１５】
画像入出力処理を行うために複数のジョブが並列して動作可能な画像入出力装置の制御方法であって、
存在するジョブの削除要求をするためのジョブ削除要求工程と、
前記ジョブ削除要求工程によりジョブの削除が要求された場合に、現在設定されているジョブ削除モードを判定する判定工程と、
前記判定工程により判定されたジョブ削除モードにしたがって、ジョブを制御するジョブ制御工程とを備えることを特徴とする画像入出力装置の制御方法。
【手続補正２】
【補正対象書類名】明細書
【補正対象項目名】０００９
【補正方法】変更
【補正の内容】
【０００９】
【課題を解決するための手段】
上記目的を達成するために、本発明は次のような手段からなる。
すなわち、画像処理装置であって、
稼働中の動作を止める指示が入力されるのに従って、前記画像処理装置に存在する複数のジョブのリストを表示する表示手段と、
前記表示手段により表示されたリストの中から選択されたジョブの中止または削除をする手段とを有する。
【手続補正３】
【補正対象書類名】明細書
【補正対象項目名】００１０
【補正方法】変更
【補正の内容】
【００１０】
あるいは、画像処理装置であって、
稼動中の動作を止める指示が入力されるのに従って、前記画像処理装置に存在するジョブの中止または削除をするための複数のモードのうち、設定されているモードを判定する手段と、
設定されているモードに応じて、ジョブの停止また削除をする制御手段とを有する。
【手続補正４】
【補正対象書類名】明細書
【補正対象項目名】００１１
【補正方法】変更
【補正の内容】
【００１１】
あるいは、画像入出力処理を行うために複数のジョブが並列して動作可能な画像入出力装置であって、
存在するジョブの削除要求をするためのジョブ削除要求手段と、
前記ジョブ削除要求手段によりジョブの削除が要求された場合、存在しているジョブを表示するジョブリスト表示手段と、
前記ジョブリスト表示手段により表示されたジョブの中から削除対象のジョブを選択させるジョブ選択手段と、
前記ジョブ選択手段により選択されたジョブを削除する削除手段とを備える。
【手続補正５】
【補正対象書類名】明細書
【補正対象項目名】００１２
【補正方法】変更
【補正の内容】
【００１２】
あるいは、画像入出力処理を行うために複数のジョブが並列して動作可能な画像入出力装置であって、
存在するジョブの削除要求をするためのジョブ削除要求手段と、
前記ジョブ削除要求手段によりジョブの削除が要求された場合に、現在設定されているジョブ削除モードを判定する判定手段と、
前記判定手段により判定されたジョブ削除モードにしたがって、ジョブを制御するジョブ制御手段とを備える。
【手続補正６】
【補正対象書類名】明細書
【補正対象項目名】００１３
【補正方法】削除
【補正の内容】